(57)【要約】【課題】測定光の光強度を強くしても、被測定者の目に対する安全性（アイセーフティ）が高い生体光測定装置を提供する。【解決手段】散乱光計測手段４は、散乱光受光手段８で導光された散乱光Ｌｓを受信して電気信号に変換する受信部９と、受信部９で変換した電気信号から散乱光Ｌｓによる電気信号のみを抽出して計測する計測部１０と、を備え、散乱光計測手段４の計測部１０で散乱光Ｌｓを計測した結果、測定光照射手段７の終端が被測定部２０に接触していないと判断されるとき、測定光Ｌｍの光強度を低くするように測定光射出手段２を制御するか、あるいは測定光Ｌｍの射出を停止する測定光制御部１１ｂを備えたものである。【選択図】図１
2012183227.tif 000002
【特許請求の範囲】
【請求項１】
測定光を射出する光源と、該光源を駆動する駆動回路と、を有する測定光射出手段と、
前記光源から射出された測定光を測定対象である生体の被測定部に導光し、前記被測定部に接触された終端から、前記測定光を前記被測定部に照射する測定光照射手段と、前記測定光が前記被測定部にて散乱された散乱光を受光し、受光した散乱光を導光する散乱光受光手段と、を有する生体検出部と、
前記散乱光受光手段で導光された散乱光を受信し計測する散乱光計測手段と、
を備えた生体光測定装置において、
前記散乱光計測手段は、前記散乱光受光手段で導光された散乱光を受信して電気信号に変換する受信部と、該受信部で変換した電気信号から前記散乱光による電気信号のみを抽出して計測する計測部と、を備え、
前記散乱光計測手段の前記計測部で前記散乱光を計測した結果、前記測定光照射手段の終端が前記被測定部に接触していないと判断されるとき、前記測定光の光強度を低くするように前記測定光射出手段を制御するか、あるいは前記測定光の射出を停止する測定光制御部を備えた
ことを特徴とする生体光測定装置。
【請求項２】
前記測定光制御部は、
散乱光の計測に適した光強度の測定光を射出する測定モードと、前記測定光の光強度を低くするように制御する安全モードとを切り替えるように構成され、
前記測定モード中に、前記散乱光の光強度が予め設定した第１の閾値範囲外となったとき、前記測定光照射手段の終端が前記被測定部から離れたと判断して、前記安全モードに切り替え、
前記安全モード中に、前記散乱光の光強度が予め設定した第２の閾値範囲内となったとき、前記測定光照射手段の終端が前記被測定部に接触したと判断して、前記測定モードに切り替えるように構成される
請求項１記載の生体光測定装置。
【請求項３】
前記計測部は、ロックインアンプからなる請求項１または２記載の生体光測定装置。
【発明の詳細な説明】
【技術分野】
【０００１】
本発明は、測定対象である生体の被測定部に測定光を照射して被測定部からの散乱光を計測する生体光測定装置に関するものである。
【背景技術】
【０００２】
従来より、パルスオキシメータに代表される近赤外光を用いた生体計測装置のように、測定対象である生体の被測定部に測定光を照射して被測定部からの散乱光を計測することで、生体の情報（例えば、パルスオキシメータでは経皮的動脈血酸素飽和度ＳｐＯ2）を光で測定する生体光測定装置が知られている。
【０００３】
従来の生体光測定装置として、例えば図４（ａ），（ｂ）に示すものがある。
【０００４】
図４（ａ），（ｂ）に示す生体光測定装置３１は、測定光射出手段３２と、生体検出部３３と、散乱光計測手段３４と、を主に備えている。
【０００５】
測定光射出手段３２は、測定光Ｌｍを射出する光源３５と、光源３５を駆動する駆動回路３６と、を有している。
【０００６】
生体検出部３３は、送信用光ファイバ３７ａと送信用光ファイバ３７ａの端部に設けられた送信プローブ３７ｂとを有し、光源３５から射出された測定光Ｌｍを送信用光ファイバ３７ａで被測定部３０に導光し、被測定部３０に接触された終端である送信プローブ３７ｂの端面３７ｃから、測定光Ｌｍを被測定部３０に照射する測定光照射手段３７と、受信用光ファイバ３８ａと受信用光ファイバ３８ａの端部に設けられた受信プローブ３８ｂとを有し、測定光Ｌｍが被測定部３０内にて散乱された散乱光Ｌｓを受信プローブ３８ｂで受光し、受光した散乱光Ｌｓを受信用光ファイバ３８ａで導光する散乱光受光手段３８と、を有している。送信プローブ３７ｂと受信プローブ３８ｂは、支持枠３３ａにより支持され、送信プローブ３７ｂの端面３７ｃと受信プローブ３８ｂの端面３８ｃが被測定部３０に接触した状態で固定される。
【０００７】
散乱光計測手段３４は、散乱光受光手段３８の受信用光ファイバ３８ａで導光された散乱光Ｌｓを受信して電気信号に変換する受信部３９と、受信部３９からの電気信号のノイズ除去処理（復調処理）と増幅処理を行うロックインアンプ４０と、ロックインアンプ４０からの出力を基に、測定対象となる生体の情報を演算する生体情報演算部４１ａと、を有している。生体情報演算部４１ａは、計測制御用ＰＣ４１に搭載される。
【０００８】
また、計測制御用ＰＣ４１には、測定光射出手段３２を制御する測定光制御部４１ｂが搭載されており、計測制御用ＰＣ４１から駆動回路３６に、光源制御用信号が出力されるようになっている。また、測定光射出手段３２の変調周波数とロックインアンプ４０での復調周波数を同期させるために、計測制御用ＰＣ４１から、基準となるクロック信号が、駆動回路３６とロックインアンプ４０の両者に出力されるようになっている。
【０００９】
生体光測定装置３１では、計測制御用ＰＣ４１の測定光制御部４１ｂから出力されたクロック信号と光源制御用信号に基づき、駆動回路３６が光源３５を駆動し、光源３５から生体検出部３３に測定光Ｌｍを射出する。射出された測定光Ｌｍは、送信用光ファイバ３７ａと送信プローブ３７ｂとを通って、送信プローブ３７ｂの端面３７ｃから被測定部３０に照射される。
【００１０】
被測定部３０に照射された測定光Ｌｍは、被測定部３０にて散乱されて散乱光Ｌｓとなり、この散乱光Ｌｓが受信プローブ３８ｂで受光される。受信プローブ３８ｂで受光された散乱光Ｌｓは、受信用光ファイバ３８ａを通って受信部３９に入射され、受信部３９で電気信号に変換される。受信部３９からの電気信号は、ロックインアンプ４０でノイズ除去（復調）され増幅が行われた後、計測制御用ＰＣ４１に入力され、入力された電気信号を基に生体情報演算部４１ａにて生体の情報が演算される。
【００１１】
ところで、従来の生体光測定装置３１では、一般的に、生体を光で計測する際には、目に光が入っても損傷がないような光強度（光量）で測定する方法がとられている（例えば、特許文献１参照）。
【００１２】
また、アイマスクをする方法もある（例えば、特許文献２参照）。
【先行技術文献】
【特許文献】
【００１３】
【特許文献１】特開２００７−３２５７９３号公報
【特許文献２】特開２００３−３３７１０２号公報
【特許文献３】特開平８−２２４２１０号公報
【特許文献４】特開２００９−１１５９３号公報
【発明の概要】
【発明が解決しようとする課題】
【００１４】
上述のように、従来の生体光測定装置３１でも、目の損傷に対する安全対策は施されていたが、以下の問題点があった。
【００１５】
まず、特許文献１のような「光が入っても損傷がないような光量で測定する方法」では、照射する測定光Ｌｍの光強度が低いため、受光する散乱光Ｌｓが非常に微弱な光となってしまい、この微弱な散乱光を迅速に検出し計測するとなると、受信部３９として感度の良い、即ち、コストが高い光電子増倍管（フォトマルチプライア、フォトマル）等を用いる必要があった。
【００１６】
また、特許文献２のような「アイマスクをする方法」では、生体である被測定者を煩わす結果となるだけでなく、アイマスクが紛失した場合など、アイマスクが使えない状況では測定できないことになり、使い勝手が悪かった。
【００１７】
本発明は、上記事情に鑑み為されたもので、測定光の光強度を強くしても、被測定者の目に対する安全性（アイセーフティ）が高い生体光測定装置を提供することを目的とする。
【課題を解決するための手段】
【００１８】
本発明は上記目的を達成するために創案されたものであり、測定光を射出する光源と、該光源を駆動する駆動回路と、を有する測定光射出手段と、前記光源から射出された測定光を測定対象である生体の被測定部に導光し、前記被測定部に接触された終端から、前記測定光を前記被測定部に照射する測定光照射手段と、前記測定光が前記被測定部にて散乱された散乱光を受光し、受光した散乱光を導光する散乱光受光手段と、を有する生体検出部と、前記散乱光受光手段で導光された散乱光を受信し計測する散乱光計測手段と、を備えた生体光測定装置において、前記散乱光計測手段は、前記散乱光受光手段で導光された散乱光を受信して電気信号に変換する受信部と、該受信部で変換した電気信号から前記散乱光による電気信号のみを抽出して計測する計測部と、を備え、前記散乱光計測手段の前記計測部で前記散乱光を計測した結果、前記測定光照射手段の終端が前記被測定部に接触していないと判断されるとき、前記測定光の光強度を低くするように前記測定光射出手段を制御するか、あるいは前記測定光の射出を停止する測定光制御部を備えた生体光測定装置である。
【００１９】
前記測定光制御部は、散乱光の計測に適した光強度の測定光を射出する測定モードと、前記測定光の光強度を低くするように制御する安全モードとを切り替えるように構成され、前記測定モード中に、前記散乱光の光強度が予め設定した第１の閾値範囲外となったとき、前記測定光照射手段の終端が前記被測定部から離れたと判断して、前記安全モードに切り替え、前記安全モード中に、前記散乱光の光強度が予め設定した第２の閾値範囲内となったとき、前記測定光照射手段の終端が前記被測定部に接触したと判断して、前記測定モードに切り替えるように構成されてもよい。
【００２０】
前記計測部は、ロックインアンプからなってもよい。
【発明の効果】
【００２１】
本発明によれば、測定光の光強度を強くしても、被測定者の目に対する安全性（アイセーフティ）が高い生体光測定装置を提供できる。
【図面の簡単な説明】
【００２２】
【図１】本発明の一実施の形態に係る生体光測定装置を示す図であり、（ａ）は概略構成図、（ｂ）は生体検出部の概略構成図である。
【図２】図１の生体光測定装置において、送信プローブの端面と受信プローブの端面の両者が開放されていると、散乱光が受光されないことを説明する図である。
【図３】図１の生体光測定装置において、送信プローブの端面と受信プローブの端面の両者が生体から若干離れているとき、生体の表面で測定光が反射されて受光される散乱光の強度が大きくなる場合があることを説明する図である。
【図４】従来の生体光測定装置を示す図であり、（ａ）は概略構成図、（ｂ）は生体検出部の概略構成図である。
【発明を実施するための形態】
【００２３】
以下、本発明の実施の形態を添付図面にしたがって説明する。
【００２４】
図１は、本実施の形態に係る生体光測定装置を示す図であり、（ａ）は概略構成図、（ｂ）は生体検出部の概略構成図である。
【００２５】
図１（ａ），（ｂ）に示すように、生体光測定装置１は、測定光射出手段２と、生体検出部３と、散乱光計測手段４と、を備えている。
【００２６】
測定光射出手段２は、測定光Ｌｍを射出する光源５と、光源５を駆動する駆動回路６と、を有している。光源５は、例えばＬＤ（Ｌａｓｅｒ  Ｄｉｏｄｅ）からなる。
【００２７】
生体検出部３は、送信用光ファイバ７ａと送信用光ファイバ７ａの端部に設けられた送信プローブ７ｂとを有し、光源５から射出された測定光Ｌｍを送信用光ファイバ７ａで被測定部２０に導光し、被測定部２０に接触された終端である送信プローブ７ｂの端面７ｃから、測定光Ｌｍを被測定部２０に照射する測定光照射手段７と、受信用光ファイバ８ａと受信用光ファイバ８ａの端部に設けられた受信プローブ８ｂとを有し、測定光Ｌｍが被測定部２０内にて散乱された散乱光Ｌｓを受信プローブ８ｂで受光し、受光した散乱光Ｌｓを受信用光ファイバ８ａで導光する散乱光受光手段８と、を有している。
【００２８】
本実施の形態では、送信用光ファイバ７ａの端部をフェルール７ｄに挿入して送信プローブ７ｂを構成するようにした。したがって、測定光照射手段７の終端は、送信プローブ７ｂの端面７ｃであり、送信用光ファイバ７ａの端面でもある。なお、これに限らず、フェルール７ｄ内に光導波路を形成し、その光導波路に送信用光ファイバ７ａを光学的に接続するように送信プローブ７ｂを構成してもよい。
【００２９】
送信プローブ７ｂと受信プローブ８ｂは、支持枠３ａにより支持され、送信プローブ７ｂの端面７ｃと受信プローブ８ｂの端面８ｃが被測定部２０に接触した状態で被測定部２０に固定される。
【００３０】
散乱光計測手段４は、散乱光受光手段８の受信用光ファイバ８ａで導光された散乱光Ｌｓを受信して電気信号に変換する受信部９と、受信部９で変換した電気信号から散乱光Ｌｓによる電気信号のみを抽出して計測する計測部としてのロックインアンプ１０と、ロックインアンプ１０からの出力を基に、測定対象となる生体の情報を演算する生体情報演算部１１ａと、を有している。ロックインアンプ１０は、受信部９からの電気信号のノイズ除去処理（復調処理）と増幅処理を行う。生体情報演算部１１ａは、計測制御用ＰＣ１１に搭載される。
【００３１】
また、計測制御用ＰＣ１１には、測定光射出手段２を制御する測定光制御部１１ｂが搭載されており、計測制御用ＰＣ１１から駆動回路６に、光源制御用信号が出力されるようになっている。また、測定光射出手段２の変調周波数とロックインアンプ１０での復調周波数を同期させるために、計測制御用ＰＣ１１から、基準となるクロック信号が、駆動回路６とロックインアンプ１０の両者に出力されるようになっている。
【００３２】
生体光測定装置１では、計測制御用ＰＣ１１の測定光制御部１１ｂから出力されたクロック信号と光源制御用信号に基づき、駆動回路６が光源５を駆動し、光源５から生体検出部３に測定光Ｌｍを射出する。射出された測定光Ｌｍは、送信用光ファイバ７ａと送信プローブ７ｂとを通って、送信プローブ７ｂの端面７ｃから被測定部２０に照射される。
【００３３】
被測定部２０に照射された測定光Ｌｍは、被測定部２０にて散乱されて散乱光Ｌｓとなり、この散乱光Ｌｓが受信プローブ８ｂで受光される。受信プローブ８ｂで受光された散乱光Ｌｓは、受信用光ファイバ８ａを通って受信部９に入射され、受信部９で電気信号に変換される。受信部９からの電気信号は、ロックインアンプ１０でノイズ除去（復調）され増幅が行われた後、計測制御用ＰＣ１１に入力され、入力された電気信号を基に生体情報演算部１１ａにて生体の情報が演算される。
【００３４】
さて、本実施の形態に係る生体光測定装置１では、測定光制御部１１ｂは、計測部としてのロックインアンプ１０で散乱光Ｌｓを計測した結果、測定光照射手段７の終端７ｃが被測定部２０に接触していないと判断されるとき、測定光Ｌｍが直接目に入っても問題ない光強度となるように測定光射出手段２を制御するか、あるいは測定光Ｌｍの射出を停止するように構成される。本実施の形態では、測定光照射手段７の終端が被測定部２０に接触していないと判断されるときには、測定光Ｌｍの光強度を十分に低く設定し、直接目に入っても問題ない光強度となるように測定光射出手段２を制御する場合を説明する。
【００３５】
ここで、本発明で測定光照射手段７の終端７ｃが被測定部２０に接触しているか否かを判断する原理について説明しておく。
【００３６】
図１（ｂ）に示すように、送信プローブ７ｂの端面７ｃと受信プローブ８ｂの端面８ｃの両者が生体に接触した状態（以下、正常な計測状態という）では、測定光Ｌｍが生体内で散乱されて散乱光Ｌｓとなり、この散乱光Ｌｓが受信プローブ８ｂで受光される。このときロックインアンプ１０で計測される散乱光Ｌｓの光強度は、測定対象となる生体の情報の値、両プローブ７ｂ，８ｂ間の距離、測定光Ｌｍの光強度や周波数、被測定部２０の部位、肌の色等により影響を受けるものの、ある範囲内の値となる。換言すれば、正常な計測状態では、ロックインアンプ１０にて、生体内で散乱されたと想定される適正な範囲内の光強度の光（散乱光Ｌｓ）が計測される。
【００３７】
これに対して、図２に示すように、送信プローブ７ｂの端面７ｃと受信プローブ８ｂの端面８ｃの両者が生体に接触しておらず、開放されているような場合には、受信プローブ８ｂには散乱光Ｌｓが受光されず、ロックインアンプ１０で計測される光強度はゼロ（もしくは、正常な計測状態で計測される光強度と比較して非常に小さい値）となる。なお、受信プローブ８ｂの端面８ｃが開放されている場合には、受信プローブ８ｂに外来光が入ってしまうことも考えられるが、外来光の成分はロックインアンプ１０にてノイズとして除去されるので、問題にはならない。
【００３８】
さらに、図３に示すように、送信プローブ７ｂの端面７ｃと受信プローブ８ｂの端面８ｃの両者が生体から若干離れている場合、条件によっては、生体の表面で測定光Ｌｍが反射されて、受信プローブ８ｂにて受光される光の光強度が大きくなり、ロックインアンプ１０で計測される光強度は、正常な計測状態で計測される光強度と比較して非常に大きい値となる場合がある。
【００３９】
このように、正常な計測状態では、ロックインアンプ１０で計測される光強度はある範囲内の値となるが、正常な計測状態でない場合（図２，３のような場合）には、ロックインアンプ１０で計測される光強度は非常に小さい値、あるいは非常に大きい値になる。したがって、ロックインアンプ１０で計測される光強度が所定の範囲内にあるか否かを判断することで、測定光照射手段７の終端７ｃが被測定部２０に接触しているか否かを判断できる。
【００４０】
なお、測定光照射手段７の終端（送信プローブ７ｂの端面７ｃ）が被測定部２０に接触しており、受信プローブ８ｂの端面８ｃが被測定部２０から離れているような場合にも、ロックインアンプ１０で計測される光強度は非常に小さい値となり、測定光照射手段７の終端が被測定部２０に接触していないと判断されてしまうことになるが、このような場合は、実際にはプローブ７ｂ，８ｂの接触状態が正常でないことを示唆しており、安全側の判断となるため問題はない。
【００４１】
測定光制御部１１ｂは、より具体的には、散乱光Ｌｓの計測に適した光強度の測定光Ｌｍを射出する測定モードと、測定光Ｌｍが直接目に入っても問題ない光強度となるように制御する安全モードとを切り替えるように構成される。
【００４２】
ここでいう測定モードとは、ノイズの影響を低減し迅速な測定を可能とするため、散乱光Ｌｓの計測に適した光強度、すなわち光強度の高い測定光Ｌｍを射出して、散乱光Ｌｓの計測を行うモードである。また、安全モードとは、測定光Ｌｍの光強度を十分に低くし、測定光Ｌｍが仮に直接目に入ったとしても、目に損傷を与えないようにするモードである。つまり、測定モードでは測定光Ｌｍの光強度が高く、安全モードでは測定モードよりも測定光Ｌｍの光強度が低い。各モードの光強度は、使用する測定光Ｌｍの波長や受信部９の感度等を考慮して適宜設定すればよい。
【００４３】
測定光制御部１１ｂは、測定モード中に、散乱光Ｌｓの光強度が予め設定した第１の閾値範囲外となったとき、測定光照射手段７の終端（つまり送信プローブ７ｂの端面７ｃ）が被測定部２０から離れたと判断して、安全モードに切り替えるように構成される。第１の閾値範囲は、測定光Ｌｍの光強度を測定モード時の光強度に設定した場合に、正常な計測状態でロックインアンプ１０にて計測される光強度の範囲を基に適宜決定するとよい。
【００４４】
また、測定光制御部１１ｂは、安全モード中に、散乱光Ｌｓの光強度が予め設定した第２の閾値範囲内となったとき、測定光照射手段７の終端（つまり送信プローブ７ｂの端面７ｃ）が被測定部２０に接触したと判断して、測定モードに切り替えるように構成される。第２の閾値範囲は、測定光Ｌｍの光強度を安全モード時の光強度に設定した場合に、正常な計測状態でロックインアンプ１０にて計測される光強度の範囲を基に適宜決定するとよい。
【００４５】
さらに、測定光制御部１１ｂは、測定開始時（システム起動時）には、安全モードに設定するように構成される。
【００４６】
ここで、生体光測定装置１におけるモード切替動作を具体的に説明する。
【００４７】
生体光測定装置１を起動すると、測定光制御部１１ｂは、まず、駆動回路６に光源制御用信号を送信して、光源５から射出される測定光Ｌｍの光強度を十分に低く設定し、安全モードに設定する。
【００４８】
このとき、測定光照射手段７の終端が被測定部２０に接触しておらず大気中に開放された状態であれば、ロックインアンプ１０にて計測される散乱光Ｌｓの光強度が非常に小さく（ほぼゼロに）なり、第２の閾値範囲外になるので、安全モードを続行する。安全モードでは、測定光Ｌｍの光強度が十分に低く設定されているため、たとえ被測定者の目に測定光Ｌｍが入射しても、目に損傷を与えてしまうことはない。
【００４９】
安全モード中に、測定光照射手段７の終端が被測定部２０に接触すると、ロックインアンプ１０にて計測される散乱光Ｌｓの光強度が第２の閾値範囲内になるので、測定光制御部１１ｂは、駆動回路６に光源制御用信号を送信して、光源５から射出される測定光Ｌｍの光強度を散乱光Ｌｓの測定に適した高い光強度に設定し、測定モードに切り替える。その後、散乱光Ｌｓの測定（生体の情報の測定）を開始することになる。
【００５０】
測定モード中に、測定光照射手段７の終端が被測定部２０から離れると、ロックインアンプ１０にて計測される散乱光Ｌｓの光強度が非常に小さく（図２のような場合）、あるいは非常に大きく（図３のような場合）なり、第１の閾値範囲外になるので、測定光制御部１１ｂは、直ちに駆動回路６に光源制御用信号を送信して、光源５から射出される測定光Ｌｍの光強度を十分に低く設定し、安全モードに切り替える。
【００５１】
以上説明したように、本実施の形態に係る生体光測定装置１では、散乱光計測手段４のロックインアンプ１０で散乱光Ｌｓを計測した結果、測定光照射手段７の終端が被測定部２０に接触していないと判断されるとき、測定光Ｌｍが直接目に入っても問題ない光強度となるように測定光射出手段２を制御する（あるいは測定光Ｌｍの射出を停止する）ようにしている。
【００５２】
つまり、生体光測定装置１では、ロックインアンプ１０で計測される散乱光Ｌｓの光強度の大小により測定光照射手段７の終端が被測定部２０に接触しているかを判断し、測定光照射手段７の終端が被測定部２０に接触していないときには、射出する測定光Ｌｍの光強度を低く設定する（あるいは測定光Ｌｍの射出を停止する）ようにしている。
【００５３】
測定光照射手段７の終端が被測定部２０に接触していないときには、測定光Ｌｍが被測定者の目に直接入ってしまう危険性がある。本発明では、測定光照射手段７の終端が被測定部２０に接触していないと判断されるときには、測定光Ｌｍの光強度を低くして直接目に入っても問題ない光強度に制御する（あるいは測定光Ｌｍの射出を停止する）ので、被測定者の目に対する安全性（アイセーフティ）が高い。
【００５４】
また、生体光測定装置１では、測定光照射手段７の終端が被測定部２０に接触していると判断されるときには、測定光Ｌｍの光強度を高く設定することが可能となるため、受信部９で計測する散乱光Ｌｓの光強度を高くし、ノイズの影響を低減して短時間で生体の情報を測定することが可能となる。
【００５５】
さらに、受信部９で計測する散乱光Ｌｓの光強度が高くなるので、従来のように受信部９として感度の良い光電子増倍管等を使用せずに、安価なＰＤ等を用いた場合でも、生体の情報を精度良く測定することが可能となる。つまり、生体光測定装置１によれば、従来と同等の精度を維持しつつも、受信部９に安価なＰＤ等を用いることが可能となり、コスト低減に寄与する。なお、受信部９に感度の良い光電子増倍管等を使用した場合には、より精度の高い測定が可能となり、より短時間での測定が可能になる。
【００５６】
さらにまた、生体光測定装置１では、計測部としてのロックインアンプ１０にて、受信部９で変換した電気信号から散乱光による電気信号のみを抽出して計測するようにしているので、外来光等の外乱の影響を除き、確実に測定光照射手段７の終端が被測定部２０に接触しているか否かを判断できる。
【００５７】
本発明は上記実施の形態に限定されるものではなく、本発明の趣旨を逸脱しない範囲で種々の変更を加え得ることは勿論である。
【００５８】
例えば、上記実施の形態では、安全モードでは測定光Ｌｍの光強度を低く設定したが、これに限らず、測定光Ｌｍの光強度を測定モードでの光強度と同等とし、パルス状の測定光Ｌｍを射出するように設定してもよい。光の生体への影響は、光強度と照射時間の積（時間積）で決まるので、測定光Ｌｍの光強度が高くても、射出するパルスの時間間隔を適宜設定すれば、被測定者の目に対する安全性を確保できる。
【００５９】
また、測定光照射手段７の終端が被測定部２０に接触しているかをより確実に判断するために、公知の接触センサ（圧力センサや静電容量センサ）等を組み合わせて用いるようにしてもよい。この場合、例えば、送信プローブ７ｂに接触センサを設け、接触センサの出力から測定光照射手段７の終端が被測定部２０に接触していないと判断されるときにも、射出する測定光Ｌｍの光強度を低く設定する（あるいは測定光Ｌｍの射出を停止する）ようにすればよい。
【００６０】
さらに、上記実施の形態では、送信用光ファイバ７ａを用いて光源５からの測定光Ｌｍを被測定部２０まで導光するように構成したが、光源５を送信プローブ７ｂ内に設け、送信用光ファイバ７ａを省略するようにしてもよい。
【符号の説明】
【００６１】
１  生体光測定装置
２  測定光射出手段
３  生体検出部
４  散乱光計測手段
５  光源
６  駆動回路
７  測定光照射手段
８  散乱光受光手段
９  受信部
１０  ロックインアンプ（計測部）
１１ａ  生体情報演算部
１１ｂ  測定光制御部
Ｌｍ  測定光
Ｌｓ  散乱光
【図１】
2012183227.tif 000003
【図２】
2012183227.tif 000004
【図３】
2012183227.tif 000005
【図４】
2012183227.tif 000006